【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
小包体（３）を搬送経路（Ｐ１）に沿いつつラベル貼り部署（２０）を通って決められた方向（Ｄ１）に搬送するステップと、ラベル（２）を取り出し用ヘッド（３３）によって貯蔵装置（２２）から引き出す取り出しステップと、該ラベル貼り部署（２０）を通る送り経路（Ｐ２）に沿って該取り出し用ヘッド（３３）を送る送りステップと、該ラベル貼り部署（２０）においてラベル（２）を小包体（３）の第１の面（７）に貼付する貼付ステップとを含んでなる、小包体（３）にラベル（２）を貼付する方法において、取り出し用ヘッド（３３）を互いに平行な第１及び第２の軸線（２９，３１）回りに回転させると共に該第２の軸線（３１）に関し半径方向に移動させることにより、取り出し用ヘッド（３３）が送り経路（Ｐ２）に沿って送られることを特徴とする方法。
【請求項２】
前記送りステップ中に、前記第２の軸線（３１）が前記第１の軸線（２９）回りに回転する請求項１に記載の方法。
【請求項３】
前記第１の面（７）が前記決められた方向（Ｄ１）にほぼ平行になっている請求項１又は２に記載の方法。
【請求項４】
前記ラベル(２)が、前記第１の面（７）に貼付される第１の部分（１４）と、前記小包体（３）の第２の面（１０）に貼付される第２の部分（１５）とを具備しており、該第２の面（１０）は前記第１の面（７）にほぼ垂直であり、前記方法は、前記取り出し用ヘッド（３３）に付設された移動可能な折り曲げ手段（３６）によって前記第２の部分（１５）を折り曲げるステップを含んでなる請求項１から３までのいずれか１項に記載の方法。
【請求項５】
前記第２の面（１０）が前記決められた方向（Ｄ１）にほぼ平行になっている請求項４に記載の方法。
【請求項６】
前記取り出し用ヘッド（３３）が取り出し用壁（３４）を具備しており、該取り出し用壁（３４）が、前記ラベル（２）が該取り出し用壁（３４）に接触し続けるようにするための把持手段（３５）を有している請求項１から５までのいずれか１項に記載の方法。
【請求項７】
前記取り出し用壁（３４）がおおむね外向きに突出している請求項６に記載の方法。
【請求項８】
前記取り出しステップ中に、前記取り出し用壁（３４）が前記貯蔵装置（２２）の出口上を転進移動して前記ラベル（２）が取り出し用壁（３４）に固定されるようにし、前記取り出し用ヘッド（３３）を前記第１及び第２の軸線（２９，３１）回りに同時に回転させると共に前記第２の軸線（３１）に関し半径方向に移動させることにより、取り出し用壁（３４）が該出口上を転進移動する請求項７に記載の方法。
【請求項９】
前記貼付ステップ中に、前記ラベル貼り部署（２０）において、前記取り出し用壁（３４）が前記小包体（３）の前記第１の面（７）上を転進移動して前記ラベル（２）が該第１の面（７）に貼付されるようにし、前記取り出し用ヘッド（３３）を前記第１及び第２の軸線（２９，３１）回りに同時に回転させると共に前記第２の軸線（３１）に関し半径方向に移動させることにより、取り出し用壁（３４）が該第１の面（７）上を転進移動する請求項７又は８に記載の方法。
【請求項１０】
前記貼付ステップ中に、前記ラベル貼り部署（２０）において、前記取り出し用ヘッド（３３）が、前記送り経路（Ｐ２）のうちの前記決められた方向（Ｄ１）にほぼ平行な部分（Ｔ２）に沿って送られる請求項１から９までのいずれか１項に記載の方法。
【請求項１１】
前記取り出し用ヘッド（３３）が、切断部署（２３）を通る前記送り経路（Ｐ２）に沿って送られ、該切断部署（２３）において切断手段（２６）が前記ラベル（２）に破断線（１８）を形成し、取り出し用ヘッド（３３）が該切断部署（２３）において前記第１及び第２の軸線（２９，３１）回りに回転される請求項１から１０までのいずれか１項に記載の方法。
【請求項１２】
前記裂断線（１８）を形成するときに、前記切断手段（２６）が、前記第１及び第２の軸線（２９，３１）にほぼ平行な第３の軸線（４７）回りに回転され、前記取り出し用ヘッド（３３）が前記切断部署（２３）において前記第２の軸線（３１）に関し半径方向に移動される請求項１１に記載の方法。
【請求項１３】
前記取り出し用ヘッド（３３）が、糊付け部署（２４）を通る前記送り経路（Ｐ２）のおおむね直線の部分（Ｔ１）に沿って送られ、該糊付け部署（２４）において前記ラベル（２）が糊付け手段（２７）によって糊付けされ、ラベル（２）が、該おおむね直線の部分（Ｔ１）に沿うそれ自体にほぼ平行に維持される請求項１から１２までのいずれか１項に記載の方法。
【請求項１４】
前記ラベル（２）に係合するための取り出し用壁（３４）を具備している前記取り出し用ヘッド（３３）が、前記第２の軸線（３１）及び該取り出し用壁（３４）にほぼ垂直な第４の軸線（４５）回りに回転する請求項１から１３までのいずれか１項に記載の方法。
【請求項１５】
前記貯蔵装置（２２）下流でかつ前記糊付け部署（２４）上流において、前記第４の軸線（４５）回りの第１の回転方向における９０度の第１の回転作用が前記取り出し用ヘッド（３３）に付与され、該糊付け部署（２４）下流でかつ前記ラベル貼り部署（２０）上流において、９０度の第２の回転作用が取り出し用ヘッド（３３）に付与される請求項１４に記載の方法。
【請求項１６】
前記９０度の第２の回転作用が、前記第１の回転方向と反対の第２の回転方向におけるものである請求項１５に記載の方法。
【請求項１７】
前記取り出し用ヘッド（３３）が、前記貯蔵装置（２２）下流でかつ前記糊付け部署（２４）上流に配置された切断部署（２３）を通る前記送り経路（Ｐ２）に沿って送られ、前記第１の回転作用が、前記貯蔵装置（２２）下流でかつ前記切断部署（２３）上流において該取り出し用ヘッド（３３）に付与される請求項１５又は１６に記載の方法。
【請求項１８】
搬送経路（Ｐ１）に沿いつつラベル貼り部署（２０）を通って決められた方向（Ｄ１）に搬送される小包体（３）にラベル（２）を貼付する装置であって、ラベル（２）の貯蔵装置（２２）と、取り出し用ヘッド（３３）と、該取り出し用ヘッド（３３）を支持する駆動手段（２１）であって、取り出し部署（２２ａ）及びラベル貼り部署（２０）を通る送り経路（Ｐ２）に沿って前記取り出し用ヘッド（３３）を送るための駆動手段（２１）とを具備し、該取り出し部署（２２ａ）において使用時に取り出し用ヘッド（３３）がラベル（２）を貯蔵装置（２２）から引き出し、該ラベル貼り部署（２０）において使用中にラベル（２）が小包体（３）の第１の面（７）に貼付される装置（１）において、駆動手段（２１）が、取り出し用ヘッド（３３）を互いに平行な第１及び第２の軸線（２９，３１）回りに回転させると共に該第２の軸線（３１）に関し半径方向に移動させることにより、取り出し用ヘッド（３３）を送り経路（Ｐ２）に沿って送ることを特徴とする装置。
【請求項１９】
前記駆動手段（２１）は、前記第１の軸線（２９）回りに回転するホイール（２８）と、前記第２の軸線（３１）回りに回転するよう該ホイール（２８）に取り付けられた少なくとも１つの作動組体（３０）とを具備した請求項１８に記載の装置。
【請求項２０】
前記作動組体（３０）が、前記取り出し用ヘッド（３３）を支持して長手方向にかつ前記第２の軸線（３１）に関しほぼ半径方向に移動可能な摺動アーム（３２）をそれぞれ具備した請求項１９に記載の装置。
【請求項２１】
前記小包体（３）の前記第１の面（７）が前記決められた方向（Ｄ１）にほぼ平行である請求項１８から２０までのいずれか１項に記載の装置。
【請求項２２】
前記ラベル（２）が、前記第１の面（７）に貼付される第１の部分（１４）と、第２の部分（１５）とを具備し、前記取り出し用ヘッドが、前記第１の面（７）にほぼ垂直な前記小包体（３）の第２の面（１０）に該第２の部分（１５）を貼付するための折り曲げ手段（３６)を具備した請求項１８から２１までのいずれか１項に記載の装置。
【請求項２３】
前記折り曲げ手段（３６）が、前記第１の面（７）にほぼ垂直にかつ前記第２の面（１０）にほぼ平行に移動可能な折り曲げ用フィンガ（３８）を具備した請求項２２に記載の装置。
【請求項２４】
前記第２の面（１０）が前記決められた方向（Ｄ１）にほぼ平行である請求項２２又は２３に記載の装置。
【請求項２５】
前記取り出し用ヘッド（３３）が、取り出し用壁（３４)と、前記ラベル（２）が該取り出し用壁（３４）に接触し続けるようにするための把持手段（３５）とを具備した請求項１８から２４までのいずれか１項に記載の装置。
【請求項２６】
前記取り出し用壁（３４）がおおむね外向きに突出している請求項２５に記載の装置。
【請求項２７】
前記送り経路（Ｐ２）に沿って配置された切断部署（２３）に配置されると共に、前記ラベル（２）に裂断線（１８）を形成する切断手段（２６）をさらに具備した請求項１８から２６までのいずれか１項に記載の装置。
【請求項２８】
前記切断手段（２６）が、前記第１及び第２の軸線（２９，３１）に平行な第３の軸線（４７）回りに回転する請求項２７に記載の装置。
【請求項２９】
前記取り出し用ヘッド（３３）が前記ラベル（２）に係合するための取り出し用壁（３４）を具備し、前記装置（１）が、前記第２の軸線（３１）及び該取り出し用壁（３４）にほぼ垂直な第４の軸線（４５）回りに該取り出し用壁（３４)を回転させるための回転手段（３２)を具備した請求項１８から２８までのいずれか１項に記載の装置。
【請求項３０】
前記送り経路（Ｐ２）に沿って配置された糊付け部署（２４）に配置されると共に、前記ラベル（２）の表面に糊付けする糊付け手段（２７）をさらに具備した請求項１８から２９までのいずれか１項に記載の装置。
【請求項３１】
前記糊付け手段（２７）が、容積式ポンプを有する散布装置を具備した請求項３０に記載の装置。